(57)【要約】  本発明は、スポークホイール用ニップル（１）に関する。該ニップルは、互いに同軸に形成され且つ貫通孔（４）が延在するように貫通するヘッド（２）およびロッド（３）と、ヘッドに設けられる操作キー（５）と、スポークのねじ付き端部に摩擦を伴って螺合するように孔内に挿入されるプラスチック材料製のインサート（１１）と、を備える。孔には、ロッド内で延在するねじ付き部分（８）と、インサートを受容する座部を構成する、より大きい直径を有する部分（１０）と、が設けられ、インサートは、ヘッド側の座部内に挿入されて干渉または接着結合によってそこに固定される管状スリーブを有するように形成される。【選択図】図１
2020524111.tif 000002
【特許請求の範囲】
【請求項１】
特にオートバイに使用されるスポークホイール用ニップル（１）であって、
互いに同軸に形成され、貫通孔（４）が同軸に延在するように貫通するヘッド（２）およびロッド（３）と、
前記ヘッドに設けられる操作キー（５）と、
スポークのねじ付き端部に摩擦を伴って螺合するように前記孔（４）内に挿入されるプラスチック材料製のインサート（１１）と、
を備え、
前記孔（４）には、前記ロッド内で延在するねじ付き部分（８）と、前記ねじ付き部分（８）と前記操作キーとの間のより大きい直径を有する部分（１０）と、が設けられ、
前記より大きい直径を有する部分は、前記インサート（１１）を受容する座部（１０）を構成し、
前記インサート（１１）は、前記ヘッド側の前記座部（１０）内に挿入されて干渉または接着結合によってそこに固定される管状スリーブを有するように形成される、
スポークホイール用ニップル（１）。
【請求項２】
前記操作キー（５）は、前記ヘッドにおいて、凹んだ皿穴（１１）の形態を有するように形成される、
請求項１に記載のスポークホイール用ニップル（１）。
【請求項３】
前記皿穴（９）は、トルクスキーまたはクアドリックスキーに対応する形状を有する、
請求項２に記載のスポークホイール用ニップル（１）。
【請求項４】
前記座部（１０）は、前記ヘッド（２）と前記ロッド（３）との間の接続コレット（７）の基部に対応するニップルの部分から構成される、
請求項１〜３のいずれか１項に記載のスポークホイール用ニップル（１）。
【請求項５】
前記座部（１０）は、前記ニップル内で前記皿穴（９）の基部まで延在する、
請求項２〜４のいずれか１項に記載のスポークホイール用ニップル（１）。
【請求項６】
前記ニップルは、６よりも大きい抵抗クラスを有する合金鋼から作製される、
請求項１〜５のいずれか１項に記載のスポークホイール用ニップル（１）。
【請求項７】
前記ニップルは、８〜１０の範囲の抵抗クラスを有する合金鋼から作製される、
請求項６に記載のスポークホイール用ニップル（１）。
【請求項８】
前記インサート（１１）は、前記ヘッド（２）に対して前記操作キー（５）の下の位置に配置される、
請求項１〜７のいずれか１項に記載のスポークホイール用ニップル（１）。
【請求項９】
前記操作キー（５）は、前記操作キーに作用するよう構成されたツールが当接する基部（５’）を画定し、前記インサート（１１）は、前記基部（５’）よりも前記ヘッド（２）の上面から軸方向に離れた位置に配置される、
請求項８に記載のスポークホイール用ニップル（１）。
【発明の詳細な説明】
【技術分野】
【０００１】
本発明は、スポークホイール用ニップルに関し、特にオートバイの分野に使用されるホイール用ニップルに関する。
【背景技術】
【０００２】
スポークホイールの分野において、使用中に連続して振動および衝撃を受けることでニップルが意図せずに緩むという問題に直面することが多い。ニップルが緩むと、１つまたは複数のスポークの破損や少なくともスポークへの過負荷が生じてホイールを静的および動的に変形させ、車両の安定性および信頼性に関して危険な結果をもたらすため、上記は特に重要な問題である。
【０００３】
ニップルの意図しない緩みの対策として、ニップルとそこにねじ込まれるスポークとの間に緩み止め液を提供する技術や、ニップルで受容され、自動的に緩むことを防ぐために所望の摩擦レベルを有するようにスポークのねじ部材の一部を受容することができるプラスチック材料製のインサートを提供する技術等、様々な技術が開発されてきた。本発明は、後者のタイプのニップルに含まれる。
【０００４】
この分野において、例えば、ニップルの適切な座部に適用されてニップルの穿孔と同時に穿孔されるプラスチック材料製のインサートを提供することが、欧州特許第８３８３５２号から知られている。この作業の結果として、非常に効率的なニップルを得ることができる。しかしながら、それを得るための一連の加工作業には、部品ごとに異なるステップが含まれ、その結果として、生産コストが増加する。
【０００５】
欧州特許第２６７８１７２号には、所与の機械加工作業を用いてニップルを作製し、次いでニップルをプラスチック材料の射出に供して、ニップル内にインサートを形成する方法が記載されている。この場合でも、多数の加工ステップが必要であり、その結果として、完成品の機械的精度が低下する可能性がある。
【０００６】
欧州特許第２５２５９８５号および欧州特許第１５５９５８２号には、ニップルの別の例が記載されている。前者では、複数のプラスチック材料製の部材を有するインサートが使用される。後者は、自転車のためのホイールのみを対象としている。
【発明の概要】
【発明が解決しようとする課題】
【０００７】
本発明が対処する問題は、上記先行技術を参照して上述したすべての欠点を克服するように構造的および機能的に構成された、特にオートバイで使用されることを意図しているがそれに限定されないニップルを提供することである。
【課題を解決するための手段】
【０００８】
本発明は、特にスポークホイール用ニップルに関する。該ニップルは、互いに同軸に形成され且つ貫通孔が同軸に延在するように貫通するヘッドおよびロッドと、ニップルのヘッドに設けられた操作キーと、ニップルの意図しない緩みを防ぐためにスポークのねじ付き端部に摩擦を伴って螺合するように孔内に挿入されるプラスチック材料製のインサートと、を備える。孔には、ロッド内で延在する第１のねじ付き部分と、第１の部分の直径に対してより大きい直径を有し且つねじ付き部分と皿穴との間で延在する第２の部分と、が設けられる。より大きい直径を有する部分は、インサートを受容する座部を構成する。インサートは、管状スリーブを有するように形成され、管状スリーブは、皿穴すなわち操作キーを有するヘッド側の座部内に挿入され、干渉または接着結合によってそこに固定される。
【０００９】
このニップルの金属構造は、両側からニップルを加工することで作製することができるため、非常に正確な加工作業に適している。このようにして得られた低い公差によって、ＥＮ  ＩＳＯ８９８−１の規格に従って、６よりも大きい、好ましくは８〜１０の範囲の抵抗クラスを有する鋼のような、オートバイの分野において必要とされる性能レベルに特に適した高強度鋼を用いてニップルを作製することができる。
【図面の簡単な説明】
【００１０】
本発明によるニップルの特徴および利点は、添付の図面を参照して非限定的に例示する好ましい且つ非限定的な実施形態の以下の詳細な説明によって、明らかになるであろう。
【図１】本発明のニップルの断面図である。
【図２】上記ニップルをヘッド側から見た斜視図である。
【発明を実施するための形態】
【００１１】
図１には、好ましくは中型から大型のオートバイのためのホイールで使用されることを特に意図しているがそれに限定されないスポークホイール用ニップルが、全体として参照符号１によって示されている。該ニップルは、全体として円筒形であり且つ同軸に形成されたヘッド２およびロッド３を備える。貫通孔４が、ヘッドとロッドとを貫通するように軸方向に延在する。好ましくは、ヘッドおよびロッドは、操作キー５，６をそれぞれ有する。代替的に、ヘッドのみが操作キーを有してもよい。
【００１２】
好ましくは、ロッド上の操作キーは、ヘッドに対して遠位側のロッド３の外側部分に形成され、多角形の輪郭から構成される。
【００１３】
一実施形態において、ヘッド５上の操作キーは、ロッドに対して遠位側のヘッドの部分において凹んだ皿穴９から構成され、好ましくはトルクス（Torx）キーまたはクアドリックス（Quadrix）キーに対応する形状を有する。
【００１４】
ヘッド２は、ロッドの直径に対して広がるように形成され、円錐台状のコレット７によってロッドと接続される。
【００１５】
いくつかの実施形態において、ロッド３に形成された孔４の一部には、スポーク（図示せず）のねじ付き端部に螺合されるよう意図されたねじ部８が形成される。
【００１６】
好ましくは、ねじ部８は、孔４の開口部と、コレット７の下側基部に対応する部分との間で延在する。コレット７の下側基部と皿穴９の基部との間には、孔４の直径よりも大きい直径を有する座部を画定する、より大きい直径を有する部分１２が形成される。
【００１７】
座部１０において、インサート１１が受容および回転可能に固定される。インサート１１は、管状スリーブを有するように形成され、好ましくはプラスチック材料によって作製される。管状スリーブの外径部が座部１０内で係合し、管状スリーブの内径部は、スポークがニップル１の孔内で係合するときに、スポークのねじ付き端部に摩擦を伴って螺合するよう構成されている。インサート１１は、操作キー９の側から座部１０内に挿入される。
【００１８】
いくつかの実施形態において、インサート１１は、わずかな干渉を伴って、また、任意選択で接着結合の助けを借りて、受容される。
【００１９】
好ましくは、操作キー５は、例えば操作キー自体を軸方向に付勢することで操作キーに作用するように使用されるツールが当接する基部５’を画定する。
【００２０】
好ましい実施形態によれば、インサート１１は、操作キーの基部５’に対してスポークよりもヘッドの上部から軸方向に離れた位置に配置される。
【００２１】
このようにして、インサートの存在によってツールの使用が妨げられることがない。
【００２２】
より一般的には、これは、インサート１１を、ニップルのヘッド２に対して操作キーの下の位置に配置することで得ることができる。
【００２３】
ニップル１のロッドおよびヘッドは、ＥＮ  ＩＳＯ８９８−１の規格に従って、６よりも大きい、好ましくは８〜１０の範囲の抵抗クラスを有する合金鋼から作製される。
【００２４】
したがって、本発明によって上述した問題が解決され、スポークから意図せずにニップルが緩むことをよりよく防止できること、および大型のオートバイで多く発生するような厳しい条件下であってもスポークホイールのより効果的な動作を保証する軽量且つ高強度のニップルを提供できること等、多くの利点が達成される。
【図１】
2020524111.tif 000003
【図２】
2020524111.tif 000004
【国際調査報告】
2020524111.tif 000005
2020524111.tif 000006
2020524111.tif 000007